(57)【要約】【課題】牽引車両に牽引させて陸上を走行移動できるとともに、必要に応じてタイヤ、連結部材を取り外して海上輸送等も効率良く行えるうえ、使い勝手が良いトレーラーハウスを提供する。【解決手段】牽引車両によって牽引移動可能なトレーラーハウスであり、居住空間を有するコンテナ型のハウス本体１２と、ハウス本体１２の下方側に取付けられる走行用のタイヤ１４と、ハウス本体１２の走行方向の前端側に取付けられ、牽引車両の牽引部に連結するための連結部材１６と、を備え、ハウス本体１２の下面側には、一体的にベースフレーム１８が固定され、タイヤ１４をハウス本体１２のベースフレーム１８に対して着脱可能に取り付けるタイヤ着脱手段２０と、連結部材１６をハウス本体１２のベースフレーム１８に対して着脱可能に取り付ける連結部材着脱手段２２と、を有するトレーラーハウス１０から構成される。【選択図】図１
2020059321.tif 000002
【特許請求の範囲】
【請求項１】
牽引車両によって牽引移動可能なトレーラーハウスであり、
居住空間を有するコンテナ型のハウス本体と、
ハウス本体の下方側に取付けられる走行用のタイヤと、
ハウス本体の走行方向の前端側に取付けられ、牽引車両の牽引部に連結するための連結部材と、を備え、
ハウス本体の下面側には、一体的にベースフレームが固定され、
タイヤをハウス本体のベースフレームに対して着脱可能に取り付けるタイヤ着脱手段と、
連結部材をハウス本体のベースフレームに対して着脱可能に取り付ける連結部材着脱手段と、を有することを特徴とするトレーラーハウス。
【請求項２】
ベースフレームは、ハウス本体の下面側の左右両側に沿って対向配置された１対のサイドフレームと、
サイドフレームどうしの間であって、互いに前後方向に離隔して左右方向に架設された複数の横フレームと、
横フレームどうしの対向内側であって、互いに左右方向に離隔して前後方向に向けて架設された複数の縦フレームと、を備え、
タイヤ着脱手段は、タイヤの回転軸を支持する軸支装置であって、横フレーム又は縦フレームに対して着脱可能に装着される軸支装置を含むことを特徴とする請求項１記載のトレーラーハウス。
【請求項３】
サイドフレームは、対向内側に向けて互いに突出するフランジ部を有しており、
横フレームの左右両端は、サイドフレームの該フランジ部上に載置された状態で一体的に固定されたことを特徴とする請求項２記載のトレーラーハウス。
【請求項４】
少なくとも横フレームと縦フレームとの連結交差部分に、軸支装置が着脱可能に取り付けられる取付部が設けられたことを特徴とする請求項２又は３記載のトレーラーハウス。
【請求項５】
ベースフレームは、ハウス本体の下面側の前端に沿って配置されるフロントフレームを有し、
連結部材着脱手段は、連結部材の一部をフロントフレームとサイドフレームに当着した状態で締結手段により着脱可能に固定することを特徴とする請求項２ないし４のいずれかに記載のトレーラーハウス。
【請求項６】
ベースフレームは、サイドフレームどうしの間であって、フロントフレームに離隔して左右方向に架設された補強フレームを含み、
連結部材着脱手段は、連結部材を補強フレームに対して着脱可能に取り付けることを特徴とする請求項５記載のトレーラーハウス。
【発明の詳細な説明】
【技術分野】
【０００１】
本発明は、陸上輸送、海上輸送を問わず運搬に便利なトレーラーハウスに関する。
【背景技術】
【０００２】
トレーラーハウスは、一般の戸建て住宅と比較して価格が安く、牽引車両によって簡易に移動可能であり、さらに、一定条件下では、設置条件が戸建て住宅やコンテナハウス等の一般的な建築物に比較して緩和される上、税金面でも有利になる場合があることから、近時では、住居や店舗、事務所として利用されたり、宿泊施設として利用されたり、大地震や水害等の自然災害後にもスピーディに設置して被災者の居住空間を確保するのに利用されたり等、活用場面も広く、需要も高くなっている。また、上記のようにコンテナハウスと比べてもトレーラーハウスの方が設置条件や税制等で有利な点があることから、既存のコンテナハウスを、特許文献１のような車輪付きのシャーシを備えた積載可能な被牽引車両に積載して、トレーラーハウスとして使用する技術も提案されている。
【先行技術文献】
【特許文献】
【０００３】
【特許文献１】特許第５９１８７８９号公報
【発明の概要】
【発明が解決しようとする課題】
【０００４】
しかしながら、特許文献１のような被牽引車両にコンテナハウスを載せてトレーラーハウスとして利用する場合では、該被牽引車両は多数の金属フレームを組み付けてコンテナハウスを載せるためのシャーシを別途に製造する必要があるため、構造が大きく、部材点数が多くて複雑化し、製作費用が高くなる問題があった。さらに、例えば、多数のトレーラーハウスを海上輸送する場合には、被牽引車両が大型であるために場所をとり、運搬効率が悪いものであった。また、車輪が取り付けられたシャーシの上にコンテナハウスが積載されるので、従来のトレーラーハウスよりも重心が高くなって不安定となるとともに、利用者が出入りする際の高低差が大きくなり、使い勝手に劣るおそれがあった。
【０００５】
本発明は上記従来の課題に鑑みてなされたものであり、その一つの目的は、牽引車両によって牽引して陸上を走行移動できるとともに、必要に応じてタイヤ、連結部材を取り外して海上輸送等も効率良く行えるうえ、使い勝手が良いトレーラーハウスを提供することにある。
【課題を解決するための手段】
【０００６】
上記課題を解決するために本発明は、牽引車両によって牽引移動可能なトレーラーハウスであり、居住空間を有するコンテナ型のハウス本体１２と、ハウス本体１２の下方側に取付けられる走行用のタイヤ１４と、ハウス本体１２の走行方向の前端側に取付けられ、牽引車両の牽引部に連結するための連結部材１６と、を備え、ハウス本体１２の下面側には、一体的にベースフレーム１８が固定され、タイヤ１４をハウス本体１２のベースフレーム１８に対して着脱可能に取り付けるタイヤ着脱手段２０と、連結部材１６をハウス本体１２のベースフレーム１８に対して着脱可能に取り付ける連結部材着脱手段２２と、を有するトレーラーハウス１０から構成される。
【０００７】
また、ベースフレーム１８は、ハウス本体１２の下面側の左右両側に沿って対向配置された１対のサイドフレーム２４と、サイドフレーム２４どうしの間であって、互いに前後方向に離隔して左右方向に架設された複数の横フレーム３０と、横フレーム３０どうしの対向内側であって、互いに左右方向に離隔して前後方向に向けて架設された縦フレーム３２と、を備え、タイヤ着脱手段２０は、タイヤ１４の回転軸３８を支持する軸支装置４０であって、横フレーム３０又は縦フレーム３２に対して着脱可能に装着される軸支装置４０を含むこととしてもよい。
【０００８】
また、サイドフレーム２４は、対向内側に向けて互いに突出するフランジ部２４ｆを有しており、横フレーム３０の左右両端は、サイドフレーム２４の該フランジ部２４ｆ上に載置された状態で一体的に固定されたこととしてもよい。
【０００９】
また、少なくとも横フレーム３０と縦フレーム３２との連結交差部分に、軸支装置４０が着脱可能に取り付けられる取付部３４が設けられたこととしてもよい。
【００１０】
また、ベースフレーム１８は、ハウス本体１２の下面側の前端に沿って配置されるフロントフレーム２６を有し、連結部材着脱手段２２は、連結部材１６の一部をフロントフレーム２６とサイドフレーム２４に当着した状態で締結手段により着脱可能に固定することとしてもよい。
【００１１】
また、ベースフレーム１８は、サイドフレーム２４どうしの間であって、フロントフレーム２６に離隔して左右方向に架設された補強フレーム３６を含み、連結部材着脱手段２２は、連結部材１６を補強フレーム３６に対して着脱可能に取り付けることとしてもよい。
【発明の効果】
【００１２】
本発明のトレーラーハウスによれば、牽引車両によって牽引移動可能なトレーラーハウスであり、居住空間を有するコンテナ型のハウス本体と、ハウス本体の下方側に取付けられる走行用のタイヤと、ハウス本体の走行方向の前端側に取付けられ、牽引車両の牽引部に連結するための連結部材と、を備え、ハウス本体の下面側には、一体的にベースフレームが固定され、タイヤをハウス本体のベースフレームに対して着脱可能に取り付けるタイヤ着脱手段と、連結部材をハウス本体のベースフレームに対して着脱可能に取り付ける連結部材着脱手段と、を有することから、必要に応じてハウス本体からタイヤと連結部材を着脱することができるので、トレーラーハウスを所望の場所に設置したり陸上輸送したりする際にはタイヤを取付けた状態として通常運用できる一方で、例えば、海上輸送する場合等には、タイヤ及び連結部材部分を取り外すことができるとともに、取り外した連結部材及びタイヤも場所を取りにくいので、効率良く運搬することができる。すなわち、輸送状況や使用状況、保管状況等に応じてタイヤ、連結部材を着脱して変換できるので、実用性が高い。特に、例えば、海上コンテナ規格のコンテナを利用してハウス本体を形成すると、陸上輸送及び海上輸送も効率良く行うことができる。また、タイヤがハウス本体のベースフレームに対して着脱する構成であるので、トレーラーハウスのハウス本体の高さが不必要に高くなりにくいように設計できるため、設置時の安定性や使い勝手も維持できる。
【００１３】
また、ベースフレームは、ハウス本体の下面側の左右両側に沿って対向配置された１対のサイドフレームと、サイドフレームどうしの間であって、互いに前後方向に離隔して左右方向に架設された複数の横フレームと、横フレームどうしの対向内側であって、互いに左右方向に離隔して前後方向に向けて架設された縦フレームと、を備え、タイヤ着脱手段は、タイヤの回転軸を支持する軸支装置であって、横フレーム又は縦フレームに対して着脱可能に装着される軸支装置を含む構成とすることにより、比較的低コストでタイヤの着脱構成を具体的に実現できるとともに、タイヤを取付けた際の強度も高く保持でき、一定期間の設置状態及び公道を長距離走行する場合でも、十分に実用に耐えうる。
【００１４】
サイドフレームは、対向内側に向けて互いに突出するフランジ部を有しており、横フレームの左右両端は、サイドフレームの該フランジ部上に載置された状態で一体的に固定された構成とすることにより、タイヤを取付けた際にかかる重力による荷重や、公道を走行する際の負荷にも十分に耐えうるように、より高い強度のフレーム構造を具体的に実現することができる。
【００１５】
また、少なくとも横フレームと縦フレームとの連結交差部分に、軸支装置が着脱可能に取り付けられる取付部が設けられた構成することにより、タイヤを取り付けた状態でもより高い強度を保持できるフレーム構造を具体的に実現できる。
【００１６】
ベースフレームは、ハウス本体の下面側の前端に沿って配置されるフロントフレームを有し、連結部材着脱手段は、連結部材の一部をフロントフレームとサイドフレームに当着した状態で締結手段により着脱可能に固定する構成とすることにより、連結部材の着脱構成を簡単かつシンプルな構成で、低コストで実現することができる。
【００１７】
また、ベースフレームは、サイドフレームどうしの間であって、フロントフレームに離隔して左右方向に架設された補強フレームを含み、連結部材着脱手段は、連結部材を補強フレームに対して着脱可能に取り付ける構成とすることにより、牽引車両との連結によって負荷がかかる連結部材やその取付け構造を、着脱構成であっても高い強度で保持できる。
【図面の簡単な説明】
【００１８】
【図１】本発明の位置実施形態に係るトレーラーハウスの説明図である。
【図２】図１のトレーラーハウスの全体図及び一部拡大図である。
【図３】図２のトレーラーハウスの一部省略した底面拡大図である。
【図４】図３のトレーラーハウスのタイヤと連結部材を外した状態の説明図である。
【図５】図２のトレーラーハウスのＡ−Ａ線断面の一部拡大図である。
【図６】（ａ）図５のトレーラーハウスのタイヤ及び軸支装置周辺の拡大図、及び（ｂ）タイヤを取り外した状態の説明図である。
【図７】図２のトレーラーハウスのＢ−Ｂ線断面の一部拡大図である。
【図８】（ａ）図７のトレーラーハウスの連結部材周辺の拡大図及び（ｂ）連結部材取り外した状態の説明図である。
【発明を実施するための形態】
【００１９】
以下添付図面を参照しつつ本発明のトレーラーハウスの実施形態について説明する。本発明に係るトレーラーハウスは、牽引車両によって牽引移動可能なトレーラーハウスである。図１ないし図８は、本発明のトレーラーハウスの一実施形態を示している。図１、図２、図３に示すように、本実施形態では、トレーラーハウス１０は、ハウス本体１２と、タイヤ１４と、連結部材１６と、を備え、ハウス本体１２にはベースフレーム１８が固定されており、該ベースフレーム１８に対してタイヤ１４を着脱可能に取り付けるタイヤ着脱手段２０と、該ベースフレーム１８に対して着脱部材１６を着脱可能に取り付ける着脱部材着脱手段２２と、を有する。
【００２０】
ハウス本体１２は、内部に居住空間を有するトレーラーハウスのハウス本体である。図１、図２に示すように、ハウス本体１２は、例えば、一方に長い直方体状のコンテナ型の構造体からなる。ハウス本体１２は、例えば、船舶等で貨物輸送に用いられる従来周知の海上コンテナを使用して設けられており、２０フィート又は４０フィートの長さの海上コンテナの規格で鋼鉄等の金属製コンテナを改造して形成されている。コンテナ規格のハウス本体１２の８つの隅部（上側の４つの隅部及び下側の４つの隅部）には、該ハウス本体１２をコンテナ船や運搬用トレーラーに固定したり、複数のハウス本体１２どうしを固定したりすることができるように、ツイストロック等の緊締装置と係合する挿入孔が設けられた隅金具２３が設けられている。ハウス本体１２の居住空間は、例えば、リビングやキッチン、寝室等を含む住居用の設備を設置し、壁面に出入り口のドアや窓等が形成されている。なお、ハウス本体１２は、物販や飲食店等の店舗、各種事務所、宿泊施設等に利用できる設備を設置してもよい。ハウス本体１２の下面側には硬質の金属製フレームを組み合わせて設けられたベースフレーム１８が一体的に固定されている。なお、本実施形態では、ハウス本体１２の長手方向に沿って走行するようにタイヤ１４が取り付けられており、長手方向すなわち走行方向に沿った方向を前後方向としている。
【００２１】
図１、図３、図４に示すように、本実施形態では、ベースフレーム１８は、直方体状のコンテナ型のハウス本体１２の下面側に、ハウス本体１２の左右両側に沿って対向配置された１対のサイドフレーム２４と、ハウス本体１２の前端辺に沿って配置されるフロントフレーム２６と、ハウス本体１２の後端辺に沿って配置されるフロントフレーム２６と、を有しており、ハウス本体１２の輪郭に沿って四角枠状に固定されている。これらのサイドフレーム２４、フロントフレーム２６、バックフレーム２８は、例えば、Ｈ形鋼からなり、ウェブを鉛直状に立てて、フランジを略水平状にしてＨを９０度横に倒した状態で、溶接等で固定されている。サイドフレーム２４は、対向内側に向けて突出するフランジ部２４ｆを有している。なお、サイドフレーム２４、フロントフレーム２６、バックフレーム２８は、Ｈ形鋼に限らず、例えば、Ｃ形鋼、Ｌ形鋼、その他の鋼材等で形成されていてもよい。
【００２２】
図４に示すように、ベースフレーム１８は、１対のサイドフレーム２４どうしの間であって、互いに前後方向に離隔して左右方向に架設された２本の横フレーム３０と、それらの横フレーム３０どうしの対向内側であって、互いに左右方向に離隔して前後方向に向けて架設された２本の縦フレーム３２と、を備えている。横フレーム３０と縦フレーム３２は、例えば、ハウス本体１２の下面側の前後方向の中央よりやや後方より位置に組み付けられている。後述のように横フレーム３０と縦フレーム３２部分にタイヤ１４がタイヤ着脱手段２０を介して取り付けられる。横フレーム３０と縦フレーム３２は、例えば、角鋼管からなり、互いに溶接等により組み付けられている。図５、図６に示すように、横フレーム３０の左右両端は、Ｈ形鋼からなるサイドフレーム２４のフランジ部２４ｆ上に載置された状態で、溶接によってウェブとフランジとに一体的に固定される。横フレーム３０と縦フレーム３２の連結部分の下面側及び縦フレーム３２の下面側には、後述のタイヤ１４の軸支装置を着脱可能に取り付けるための取付部３４となる複数の（図４上、８個の）金属板が所定間隔で溶接等により固定されている。この金属板からなる取付部には、後述の軸支装置と締結するためのボルト孔が設けられている。さらに、図４に示すように、ベースフレーム１８は、サイドフレーム２４どうしの間であって、フロントフレーム２６よりやや後方側に離隔して左右方向に架設された補強フレーム３６を含む。図７、図８に示すように、補強フレーム３６は、例えば、角鋼管からなり、該補強フレーム３６の左右両端は、横フレーム同様にＨ形鋼からなるサイドフレーム２４の該フランジ部２４ｆ上に載置された状態で、溶接によってウェブとフランジとに一体的に固定される。ベースフレーム１８は、横フレーム３０、縦フレーム３２、及びそれらの取付部３４である固定板、補強フレーム３６は、サイドフレーム２４の下面よりも下方に突出されておらず、ハウス本体１２を船舶上や地面上に置く際にも邪魔になることがなく安定して置くことができる。なお、横フレーム３０、縦フレーム３２、補強フレーム３６の数は、タイヤ１４の設置個数や連結部材の形態に応じて任意に設定してもよい。
【００２３】
図２、図３に示すように、タイヤ１４は、ハウス本体１２の下方側に取付けられる走行用のタイヤである。タイヤ１４は、例えば、ハウス本体１２の荷重を受けるとともに、道路等を走行できるように、従来周知のトレーラーハウスに使用されるものと大きさのタイヤが利用される。図１、図５、図６にも示すように、タイヤ１４は、タイヤ着脱手段２０を介してハウス本体１２のベースフレーム２４に対して着脱可能に取り付けられる。タイヤ１４は、該タイヤ１４の回転軸３８を支持する軸支装置４０を介して該ベースフレーム２４に取付けられる。本実施形態では、例えば、左右のタイヤ１４が車輪軸としての回転軸３８を介して接続されたものが３組並設されている。それぞれの車輪軸３８の左右両側には軸支部材４２が取り付けられており、左右両側の軸支部材４２を介設して、走行時のアブソーバーとなる円弧状の板バネ４４の中間部位に接続されている。３対６個の板バネ４４の各両端部は、縦方向に延びた支持部材４６の下端に揺動自在に接続され、支持部材４６の上端がベースフレーム１８に着脱可能に取り付けられる。各軸支装置４０の支持部材４６の上端には、例えば、金属製の平板からなる取付用板４８が一体的に固定されている。取付用板４８をベースフレーム１８の取付部３４にボルト及びナット等の締結手段４９を介して固定することにより、タイヤ１４が軸支装置４０を介して着脱可能に取り付けられる。すなわち、タイヤ着脱手段２０は、横フレーム３０又は縦フレーム３２と、それらの横フレーム３０又は縦フレーム３２に対して着脱可能に装着される軸支装置４０と、締結手段４９と、を含む。なお、図２上、符号５０は、トレーラーハウスを任意の場所に設置する際に、安定に支持するためのジャッキである。ジャッキ５０は、トレーラーハウス１０を移動する際には、取り外される。
【００２４】
図１、図２、図３に示すように、連結部材１６は、ハウス本体１２の走行方向の前端側（図上右側）に取付けられ、例えば、トレーラー等の牽引車両（図示せず）の牽引部に連結するための連結部を構成する。連結部材１６は、連結部材着脱手段２２を介して、ハウス本体１２のベースフレーム１８に対して着脱可能に取り付けられている。連結部材１６は、例えば、Ｈ形鋼等の金属製フレームを略Ｖ字状に組み合わせて設けられたヒッチメンバ５２と、ヒッチメンバ５２のＶ字の先端部分にトレーラー等の牽引車両の牽引部に連結されるヒッチ部となる連結器５４と、を含む。図７、図８に示すように、連結部材１６を着脱可能に連結する連結部材着脱手段２２は、例えば、該連結部材１６の略Ｖ字状に延びた部分の一部をベースフレーム１８のフロントフレーム２６とサイドフレーム２４、並びに補強フレーム３６の下面側に当着した状態で、ボルト及びナット等の締結手段５８により着脱可能に固定する。より具体的には、Ｈ形鋼からなるフロントフレーム２６とサイドフレーム２４の下側のフランジの連結部材１６が当着する位置に、ボルト孔が穿孔され、連結部材１６の取付部を構成している。補強フレーム３６の下面には、金属製平板からなる固定板５６が溶接等により固定されており、該固定板５６が連結部材１６の取付部となっている。連結部材１６には、Ｈ形鋼のフランジにボルト孔が穿孔されており、連結部材１６のボルト孔とベースフレーム１８側のボルト孔とをそれぞれ位置合わせされた状態で、ボルト、ナット締結される。すなわち、連結部材着脱手段２２は、フロントフレーム２６又はサイドフレーム２４と、補強フレーム３６と、連結部材の一部と、を締結する締結手段５８と、を含む。なお、ヒッチメンバ５２の形状や連結器５４等はハウス本体の大きさや牽引車両等に応じて任意に設計してもよい。
【００２５】
次に本実施形態に係るトレーラーハウス１０の作用について説明する。例えば、数多くのトレーラーハウス１０を海上輸送する場合には、図１に示すように、ハウス本体１２からタイヤ１４及び連結部材１６を取り外した状態で、船舶に積載する。ハウス本体１２は、例えば、海上コンテナ規格で形成されていることにより、船舶への積載を効率良く行える。また、取り外したタイヤ１４及び連結部材１６も場所を取りにくい。船舶が港に到着して、トレーラーハウス１０を陸上の目的の設置場所に輸送する際には、例えば、コンテナ輸送用のトレーラーにハウス本体１２を積載して移動して、現地に到着したら図２に示すようにハウス本体１２にタイヤ１４と連結部材１６を取付ける。また、港において、図２に示すように、ハウス本体１２にタイヤ１４と連結部材１６を取付けて、牽引車両によって牽引して現地まで走行させて輸送することとしてもよい。トレーラーハウス１０を目的地に設置したら、例えば、複数のジャッキ５０によって支持して、ハウス本体１２が水平な状態で安定的に設置する。また、トレーラーハウス１０を所定期間設置した後に、移動する必要がある場合には、ジャッキ５０を撤去して、連結部材１６を介してトレーラー等の牽引車両によって牽引することで、陸上搬送できる。上記同様に、海上輸送等の必要がある場合には、図１に示すように、ハウス本体１２からタイヤ１４及び連結部材１６を取り外した状態で、船舶に積載することができる。このようにハウス本体１２に対してタイヤや連結部材１６を着脱できる構成であるので、陸上や海上等の輸送条件、輸送状況に応じて、輸送効率、輸送コスト等が良い方法で輸送することができる。その結果、例えば多数のトレーラーハウスを一度に運搬する必要がある場合に有利である。また、例えば、使用していない複数のトレーラーハウス１０を保管管理する場合等でも、タイヤ及び連結部材を取り外した状態で、例えば、ハウス本体どうしを密着させたり積載したりして、効率良く保管や収容することができる。
【００２６】
以上説明した本発明のトレーラーハウスは、上記した実施形態のみの構成に限定されるものではなく、特許請求の範囲に記載した本発明の本質を逸脱しない範囲において、任意の改変を行ってもよい。
【産業上の利用可能性】
【００２７】
本発明のトレーラーハウスは、所定の場所で住居、店舗、事務所、宿泊施設等として利用することができるとともに、状況に応じてタイヤ、連結部材を着脱して、効率的に運搬することができる。
【符号の説明】
【００２８】
１０    トレーラーハウス
１２    ハウス本体
１４    タイヤ
１６    連結部材
１８    ベースフレーム
２０    タイヤ着脱手段
２２    連結部材着脱手段
２４    サイドフレーム
２６    フロントフレーム
３０    横フレーム
３２    縦フレーム
３４    取付部
３６    補強フレーム
３８    回転軸
４０    軸支装置
【図１】
2020059321.tif 000003
【図２】
2020059321.tif 000004
【図３】
2020059321.tif 000005
【図４】
2020059321.tif 000006
【図５】
2020059321.tif 000007
【図６】
2020059321.tif 000008
【図７】
2020059321.tif 000009
【図８】
2020059321.tif 000010